(57)【要約】【課題】  商品が見えやすく、商品を無断で取り外すことができない商品保持具を提供することを目的とする。【解決手段】  内側保持部材２の縁部２ｂと外側保持部材３の鍔部３ｂとを重ねて固定部材４の嵌合溝４ａに差し込み、内側保持部材２と外側保持部材３との重ね目を覆う。連結爪３ｃを外側保持部材３の嵌合蓋３ａから延びるように形成し、商品の輪形の部分に通して保持する。連結爪３ｃの端部に鍔部３ｂ´を設け、この鍔部３ｂ´と内側保持部材２の縁部２ｂ´とを重ねて固定部材４の嵌合溝４ａに差し込み、両側から挟むように固定する。商品を保持する連結柱２ｄ，２ｄ´，３ｄを、外側保持部材３の嵌合蓋３ａで覆われた空間の内部に形成し、その空間にネックレスなどの留金を固定する。【選択図】      図１
2006141890.tif 000002
【特許請求の範囲】
【請求項１】
指輪などの輪形を有する商品を保持する商品保持具において、
底板（２ａ）の縁部（２ｂ）の内側に立設した立設部（２ｃ）を備える内側保持部材（２）と、
前記立設部の外側に嵌まり立設部によってできる空間を覆う嵌合蓋（３ａ）を備え、この嵌合蓋の端部に前記縁部と重なる鍔部（３ｂ）を設けた外側保持部材（３）と、
前記縁部（２ｂ）と前記鍔部（３ｂ）とを重ねて差し込み可能な嵌合溝（４ａ）を備える固定部材（４）とを有し、
前記内側保持部材の底板（２ａ）と前記外側保持部材の嵌合蓋（３ａ）とを当接可能につなぐ連結部材を備え、
前記連結部材に指輪などの輪形の部分を通した状態で、前記内側保持部材の縁部（２ｂ）と前記外側保持部材の鍔部（３ｂ）とを重ねて前記固定部材の嵌合溝（４ａ）に差し込み着脱可能に固定することを特徴とする商品保持具（１）。
【請求項２】
前記連結部材が、前記外側保持部材の嵌合蓋（３ａ）から延設した連結爪（３ｃ）であり、
前記連結爪（３ｃ）の端部に前記内側保持部材の縁部（２ｂ´）と重なる鍔部（３ｂ´）を設け、
前記内側保持部材の縁部（２ｂ´）と前記連結爪の鍔部（３ｂ´）とを重ねて前記固定部材の嵌合溝（４ａ）に差し込み固定することを特徴とする請求項１に記載の商品保持具（１）。
【請求項３】
前記連結部材が、前記外側保持部材の嵌合蓋（３ａ）で覆われた空間の内部に形成した連結柱（２ｄ，２ｄ´，３ｄ）であり、
前記連結柱（２ｄ，２ｄ´，３ｄ）が前記内側保持部材の底板（２ａ）と前記外側保持部材の嵌合蓋（３ａ）とを当接可能につなぐことを特徴とする請求項１または請求項２に記載の商品保持具（１）。
【請求項４】
前記内側保持部材（２）と前記固定部材（４）とが対向する面のいずれか一方に、盗難防止タグ（４ｆ）を取り付けたことを特徴とする請求項１から請求項３のいずれか１項に記載の商品保持具（１）。
【発明の詳細な説明】
【技術分野】
【０００１】
この発明は、指輪やネックレスなどの輪形を有する商品を保持する商品保持具に関し、特に、商品の盗難防止に役立つ商品保持具に関する。
【背景技術】
【０００２】
一般に、指輪やネックレスなどの商品を陳列する場合には、商品が盗まれないように、商品を陳列ケースの中に入れて陳列している。この陳列ケースは、盗難防止に有効であるが、商品をガラス越しに見るために、商品を観察しづらい。
【０００３】
そこで、盗難を防止しつつ、商品を直接に見て触ることができる陳列手段として、陳列台の上面に指輪を保持する爪部を備え、下面に盗難防止用のタグ（荷札）を収納する収納部を設けた陳列台が提案されている（例えば、特許文献１参照）。この陳列台は、陳列台と指輪の輪形の部分とを糸で結び、商品を引き渡す際にこの糸を切るようにしている。
【特許文献１】特開２００２−５６４７１号公報（段落０００５，０００８、図５）
【発明の開示】
【発明が解決しようとする課題】
【０００４】
しかしながら、陳列ケースによって商品を陳列する手段は、商品を観察しづらいこと以外に、商品を客の求めに応じて陳列ケースから取り出さなければならないために、店員が陳列ケースの近くに居なければならない。
【０００５】
また、前記特許文献１に係る陳列台は、陳列台と指輪の輪形の部分とを糸で結んでいるために、その糸を無断で切って商品が盗まれるおそれがある。一方、その糸を容易に切ることができない糸にすれば、指輪の引渡しが困難になる。
【０００６】
そこで、この発明では、前記した問題を解決し、輪形を有する商品の保持に適した商品保持具であって、商品が見えやすく、商品を無断で取り外すことができない商品保持具を提供することを目的とする。
【課題を解決するための手段】
【０００７】
前記課題を解決するため、請求項１に係る発明では、指輪などの輪形を有する商品を保持する商品保持具１を、底板２ａの縁部２ｂの内側に立設した立設部２ｃを備える内側保持部材２と、立設部２ｃの外側に嵌まり立設部２ｃによってできる空間を覆う嵌合蓋３ａを備え、嵌合蓋３ａの端部に縁部２ｂと重なる鍔部３ｂを設けた外側保持部材３と、縁部２ｂと鍔部３ｂとを重ねて差し込み可能な嵌合溝４ａを備える固定部材４とを有して構成した。そして、商品保持具１に、内側保持部材２の底板２ａと外側保持部材３の嵌合蓋３ａとを当接可能につなぐ連結部材を備え、連結部材に指輪などの輪形の部分を通した状態で、内側保持部材２の縁部２ｂと外側保持部材３の鍔部３ｂとを重ねて固定部材４の嵌合溝４ａに差し込み着脱可能に固定するように構成した。
【０００８】
請求項２に係る発明では、前記連結部材を、外側保持部材３の嵌合蓋３ａから延設した連結爪３ｃとし、その連結爪３ｃの端部に内側保持部材２の縁部２ｂ´と重なる鍔部３ｂ´を設け、内側保持部材２の縁部２ｂ´と連結爪３ｃの鍔部３ｂ´とを重ねて固定部材４の嵌合溝４ａに差し込み固定するように構成した。
【０００９】
請求項３に係る発明では、前記連結部材を、外側保持部材３の嵌合蓋３ａで覆われた空間の内部に形成した連結柱２ｄ，２ｄ´，３ｄとし、この連結柱２ｄ，２ｄ´，３ｄが内側保持部材２の底板２ａと外側保持部材３の嵌合蓋３ａとを当接可能につなぐように構成した。
【００１０】
請求項４に係る発明では、内側保持部材２と固定部材４とが対向する面のいずれか一方に、盗難防止タグ４ｆを取り付けるように構成した。
【発明の効果】
【００１１】
請求項１に係る発明によれば、内側保持部材と外側保持部材とを当接可能につなぐ連結部材に、商品の輪形の部分を通し、商品を保持できるようにしたので、簡単な構造で輪形を有する商品を保持することができる。このように、保持する部材を商品の輪形の部分に通して保持するようにしたので、商品を直接に見て触ることができる。また、この商品保持具では、内側保持部材の縁部と外側保持部材の鍔部との重ね目を固定部材に備えた嵌合溝によって覆うようにしたので、内側保持部材と外側保持部材との重ね目の露出を少なくでき、内保持部材と外保持部材との重ね目をこじ開けて商品が盗まれることを防ぐことができる。
【００１２】
請求項２に係る発明によれば、指輪などの輪形の部分に通して商品を保持する連結爪を、嵌合蓋の外側に延びるように構成したので、商品を露出させることができ、商品を観察しやすくできる。
【００１３】
請求項３に係る発明によれば、輪形の部分に通して商品を保持する連結柱を、外側保持部材の嵌合蓋で覆われた空間の内部に形成するように構成したので、ネックレスなどのひも状のものを留金によって輪形にしている商品であっても、その留金を外部から触ることができない外側保持部材の嵌合蓋で覆われた空間の内部に固定できるので、留金を外して商品が盗まれることを防ぐことができる。さらに、請求項３に係る発明は、請求項２に係る発明と組み合わせて設けることができるので、１つの商品保持具で指輪とネックレスなどの異なる２つの商品を保持することができる。
【００１４】
請求項４に係る発明によれば、内側保持部材と固定部材とが対向する面のいずれか一方に、盗難防止タグを取り付けるように構成したので、商品が店から無断で持ち出されると、店の出口に設置した盗難防止警報装置が鳴り、盗難を未然に防止することができる。さらに、内側保持部材と外側保持部材とを重ねた状態で固定部材に備えた嵌合溝に固定できるようにしたので、内側保持部材と固定部材とが対向する面のいずれか一方に、盗難防止タグを取り付ければ、盗難防止タグを無断で取り外すことができず、盗難防止効果を高めることができる。
【発明を実施するための最良の形態】
【００１５】
次に、この発明を実施するための最良の形態について、図面を参照しながら詳細に説明する。図１は実施形態に係る商品保持具の斜視図である。（ａ）は商品保持具の分解斜視図であり、（ｂ）は内側保持部材の固定部材と対向する面の斜視図である。なお、この実施形態では、指輪とネックレスを同時に保持する場合を想定して説明する。
【００１６】
図１の（ａ）に示すように、実施形態に係る商品保持具１は、立設部２ｃを備える内側保持部材２と、立設部２ｃの外側に嵌め込む嵌合蓋３ａを備える外側保持部材３と、内側保持部材２と外側保持部材３とが外れないように固定する固定部材４とを有して構成される。
【００１７】
内側保持部材２は、四角い形状の底板２ａと、その底板２ａに立った状態に設けた立設部２ｃとを有する。底板２ａには、底板２ａの縁から所定の幅を有する縁部２ｂがあり、その縁部２ｂの内側に立設部２ｃが設けられている。ここでは、この立設部２ｃは、一側面が開口し、コの字形を形成するように設けられている。この立設部２ｃの内側には、底板２ａに立った状態に設けた複数の連結柱２ｄ，２ｄ´を有している。この連結柱２ｄ，２ｄ´は、内側保持部材２に外側保持部材３を嵌めた状態で、外側保持部材３の嵌合蓋３ａに当接するように形成されている。さらに、内側保持部材２には、後記する外側保持部材３の連結爪３ｃと嵌合する連結爪嵌合溝２ｅが設けられている。
【００１８】
図１の（ｂ）に示すように、内側保持部材２には、固定部材４と対向する面に、後記する板ばね４ｃ，４ｃと対向する位置に、凹状の切欠き２ｆ，２ｆが形成されている。
【００１９】
図１の（ａ）に示すように、外側保持部材３は、内側保持部材２の立設部２ｃの外側に接して嵌まり、かつ、立設部２ｃによってできる空間を覆う嵌合蓋３ａと、この嵌合蓋３ａの端部に内側保持部材２の縁部２ｂと重なるように形成した鍔部３ｂとを有する。さらに、この外側保持部材３は、嵌合蓋３ａから延びる連結爪３ｃと、嵌合蓋３ａの内側に立設する連結柱３ｄとを有している。連結爪３ｃは、外側保持部材３を内側保持部材２に嵌めた状態で、内側保持部材２の縁部２ｂ´に当接するように形成されている。そして、連結爪３ｃの端部には、内側保持部材２の縁部２ｂ´と重なるように鍔部３ｂ´が形成されている。連結柱３ｄは、内側保持部材２に立設した連結柱２ｄ´と嵌合するように形成されている。
【００２０】
固定部材４は、四角形の基板４ｂと、その基板４ｂの三方の縁に立設する嵌合溝４ａと、基板４ｂの両側部に取り付けた一対の磁性を有する金属製の板ばね４ｃ，４ｃと、嵌合溝４ａの一辺に延設した保持板４ｄと、この保持板４ｄを設けた辺に嵌合する掛止部材４ｅとを有して構成される。基板４ｂは、その中央に凹部が形成され、その凹部に盗難防止タグ４ｆが張り付けられている。嵌合溝４ａは、断面形状がコの字形であり、基板４ｂの内側に向けて開口するように形成されている。
【００２１】
以上のように構成した商品保持具１は、外側保持部材３の連結爪３ｃに指輪５の輪形の部分を通した状態で、また、内側保持部材２の連結柱２ｄにネックレス６を引っ掛けた状態で、内側保持部材２に外側保持部材３を嵌める。そして、この商品保持具１は、内側保持部材２の縁部２ｂと外側保持部材３の鍔部３ｂとを重ねた状態で、この重ねた部分を固定部材４に設けた嵌合溝４ａに矢印の方向に差し込み、後記する錠構造によって着脱可能に固定できる。
【００２２】
図２は、実施形態に係る商品保持具の内側保持部材に外側保持部材を嵌めた状態を示す斜視図のうち、指輪を保持する状態を示す斜視図である。図３は、実施形態に係る商品保持具の内側保持部材に外側保持部材を嵌めた状態を示す斜視図のうち、（ａ）はネックレスを保持する状態を示す斜視図であり、（ｂ）はネックレスを保持する他の状態を示す斜視図である。図２に示すように、指輪５は、その輪形の部分に外側保持部材３の連結爪３ｃを通して保持されている。外側保持部材３の連結爪３ｃは、外側保持部材３を内側保持部材２に嵌めた状態で、内側保持部材２の縁部２ｂ´に当接している。さらに、その連結爪３ｃの端部に形成した鍔部３ｂ´と内側保持部材２の縁部２ｂ´とが重なっている。また、連結爪３ｃは、この連結爪３ｃの内側に接する連結爪嵌合溝２ｅと嵌合している。
【００２３】
一方、図３の（ａ）に示すように、ネックレス６は、留金６ａを留めて輪形にした状態で、輪形の部分に内側保持部材２の連結柱２ｄ，２ｄを通して保持されている。この連結柱２ｄ，２ｄは、内側保持部材２の立設部２ｃの内側であって、立設部２ｃの角の近くに設けられた三角柱であり、対向する立設部２ｃの角に設けた三角柱状の突起とともに、ネックレス６の留金６ａを固定できるように構成されている。
【００２４】
また、図３の（ｂ）に示すように、ネックレス６の留金６ａを、内側保持部材２の立設部２ｃの内側であってその中央部に設けた連結柱２ｄ´に通して保持することもできる。なお、ここでは、様々な形状のネックレス６の留金６ａを固定できるように複数の連結柱２ｄ，２ｄ´，３ｄを備えている。さらに、連結柱２ｄ，２ｄ´，３ｄの構造も、内側保持部材２に立設した連結柱２ｄ´と外側保持部材３に立設した連結柱３ｄとを嵌合する構造と、内側保持部材２に立設した連結柱２ｄのみから成る構造とを備えている。
【００２５】
図４は、実施形態に係る商品保持具を組み立てた状態を示す斜視図である。図４に示すように、固定部材４に設けた嵌合溝４ａが、内側保持部材２の縁部２ｂと外側保持部材３の鍔部３ｂとを重ねた部分の外側に嵌まるように構成されている。さらに、縁部２ｂと鍔部３ｂとが接する辺のうち、３つの辺を嵌合溝４ａによって覆うことで、縁部２ｂと鍔部３ｂとの重ね目が露出しないために、こじ開けることができない構造になっている。
【００２６】
図５は、実施形態に係る商品保持具の錠構造を示す断面図である。（ａ）は施錠状態を示す断面図であり、（ｂ）は解錠状態を示す断面図である。図５の（ａ）に示すように、商品保持具１は、内側保持部材２に外側保持部材３を嵌めて固定部材４に矢印方向に差し込むと、固定部材４と内側保持部材２に設けた錠構造によって、内側保持部材２と外側保持部材３との組付け体が固定部材４から抜けないように施錠される。この錠構造は、固定部材４に取り付けた板ばね４ｃと、内側保持部材２に形成した切欠き２ｆとを有して構成される。
【００２７】
板ばね４ｃは、矢印に示す差し込み方向に平行に配置され、板ばね４ｃの基部が基板４ｂの差し込み口近くに固定され、先端部が内側保持部材２側に付勢するように取り付けられている。そのため、図５の（ａ）に示すように、板ばね４ｃの先端部が切欠き２ｆの内側に引っ掛かり、内側保持部材２を固定部材４から引き抜くことができない。
【００２８】
一方、図５の（ｂ）に示すように、固定部材４側に磁石から成る鍵７を近づけると、板ばね４ｃの先端部が磁石に引き付けられる。そして、板ばね４ｃが切欠き２ｆから外れることで、内側保持部材２と外側保持部材３との組付け体を固定部材４から引き抜くことができる。なお、この板ばね４ｃは、磁力の強い特殊な磁石によって引き付けられるようにした。さらに、錠構造を少なくとも２箇所に設け、かつ、それぞれの錠構造を隔て配置することで、複数の磁石、あるいは、複数の板ばねを覆うことができる大きな磁石でなければ、錠を開けることができないようにした。
【００２９】
図６は、実施形態に係る商品保持具を陳列した状態を示す斜視図である。図６に示すように、商品保持具１は、孔４ｇを有する掛止部材４ｅと、Ｕ字状の保持板４ｄとによって陳列棒８に引っ掛けて陳列される。この孔４ｇと保持板４ｄとは、所定の間隔を開けて設け、陳列棒８が孔４ｇと保持板４ｄとで２点支持されている。そして、商品保持具１が商品の重みで前傾するのを保持板４ｄで保持することで、商品が垂直に保てるように構成されている。このように、商品を垂直に保ち陳列できることで、商品を正面から見ることができ、商品が見えやすくなる。
【００３０】
図７は、実施形態に係る商品保持具の他の陳列状態を示す斜視図である。図７に示すように、商品保持具１は、掛止部材４ｅを陳列溝９側にずらして爪４ｈ，４ｈを延出させ、この爪４ｈ，４ｈによって陳列溝９に引っ掛けて陳列される。
【００３１】
以上、この発明の実施形態について説明したが、この発明は前記実施形態に限定されない。例えば、この商品保持具１に保持する商品は、指輪５とネックレス６に限られず、腕時計や携帯電話ストラップなどの輪形を有する商品であればよい。また、前記実施形態では、商品保持具１を指輪５とネックレス６の両方が保持できるように構成したが、別々に保持できるように構成してもよい。
【図面の簡単な説明】
【００３２】
【図１】（ａ）は実施形態に係る商品保持具の斜視図のうち、商品保持具の分解斜視図であり、（ｂ）は実施形態に係る商品保持具の斜視図のうち、内側保持部材の個体部材と対向する面の斜視図である。
【図２】実施形態に係る商品保持具の内側保持部材に外側保持部材を嵌めた状態を示す斜視図のうち、指輪を保持する状態を示す斜視図である。
【図３】（ａ）は実施形態に係る商品保持具の内側保持部材に外側保持部材を嵌めた状態を示す斜視図のうち、ネックレスを保持する状態を示す斜視図であり、（ｂ）は実施形態に係る商品保持具の内側保持部材に外側保持部材を嵌めた状態を示す斜視図のうち、ネックレスを保持する他の状態を示す斜視図である。
【図４】実施形態に係る商品保持具を組み立てた状態を示す斜視図である。
【図５】（ａ）は実施形態に係る商品保持具の錠構造を示す断面図のうち施錠状態を示す断面図であり、（ｂ）は実施形態に係る商品保持具の錠構造を示す断面図のうち解錠状態を示す断面図である。
【図６】実施形態に係る商品保持具を陳列した状態を示す斜視図である。
【図７】実施形態に係る商品保持具の他の陳列状態を示す斜視図である。
【符号の説明】
【００３３】
１      商品保持具
２      内側保持部材
２ａ    底板
２ｂ，２ｂ´  縁部
２ｃ    立設部
２ｄ，２ｄ´  連結柱
３      外側保持部材
３ａ    嵌合蓋
３ｂ，３ｂ´  鍔部
３ｃ    連結爪
３ｄ    連結柱
４      固定部材
４ａ    嵌合溝
４ｆ    盗難防止タグ
【図１】
2006141890.tif 000003
【図２】
2006141890.tif 000004
【図３】
2006141890.tif 000005
【図４】
2006141890.tif 000006
【図５】
2006141890.tif 000007
【図６】
2006141890.tif 000008
【図７】
2006141890.tif 000009